(57)【要約】【課題】  ストリンガーを水中に係留するために、ストリンガーロープを岸壁の工作物等に容易に係止することを可能にするストリンガーロープホルダを提供する。【解決手段】  開示されるストリンガーロープホルダ１は、板状であり、対向する両端部に、ストリンガーロープ２１を巻き付けかつ収束させるための一組の切れ込み３，５が形成されている。ストリンガーロープホルダ１には、また、ロープ２１の一端部を挿通し結束することにより、ロープ２１の一端部をストリンガーロープホルダ１に係止するための３個の貫通孔７，９，１１が形成されている。ストリンガーロープホルダ１には、さらに、貫通孔７，９，１１よりも大きく、ロープ２１の中途を折り返したものを２度通過させることのできる大きさの、２個以上の貫通孔１３，１５が形成されている。【選択図】  図７
2016086784.tif 000002
【特許請求の範囲】
【請求項１】
板状のストリンガーロープホルダであって、
対向する両端部に形成され、ストリンガーロープを巻き付けかつ収束させるための一組の切れ込みと、
２個の第１貫通孔と、
前記第１貫通孔よりも大きい２個の第２貫通孔と、を含むストリンガーロープホルダ。
【請求項２】
前記２個の第２貫通孔は、前記両端部の前記切れ込みに前記ストリンガーロープを巻き付けたときに、巻き付けられた当該ストリンガーロープから少なくとも一部が露出する部位に形成されている、請求項１に記載のストリンガーロープホルダ。
【請求項３】
前記２個の第１貫通孔は、前記両端部の前記切れ込みに前記ストリンガーロープを巻き付けたときに、巻き付けられた当該ストリンガーロープに、全体が隠れる部位に形成されている、請求項１又は２に記載のストリンガーロープホルダ。
【請求項４】
前記２個の第１貫通孔は、巻装対象としてのストリンガーロープの一端部を挿通し、結束することにより、当該ストリンガーロープの当該一端部を前記ストリンガーロープホルダに係止するためのものであり、前記２個の第２貫通孔は、前記巻装対象としてのストリンガーロープの中途を折り返したものを２度通過させることのできる大きさである、請求項１から３のいずれかに記載のストリンガーロープホルダ。
【請求項５】
前記２個の第１貫通孔は、前記巻装対象としてのストリンガーロープの直径の１倍から１．２５倍の範囲の直径を有し、
前記２個の第２貫通孔は、前記巻装対象としてのストリンガーロープの直径の３倍から５倍の範囲の直径を有する、請求項４に記載のストリンガーロープホルダ。
【請求項６】
前記２個の第１貫通孔は５ミリメートル以下の直径を有し、前記２個の第２貫通孔は、６ミリメートル以上かつ２０ミリメートル以下の直径を有する、請求項１から５のいずれかに記載のストリンガーロープホルダ。
【請求項７】
前記２個の第２貫通孔の少なくとも１個は、取り外し可能に当該孔の少なくとも一部を塞ぐ閉塞部材を有する、請求項１から６のいずれかに記載のストリンガーロープホルダ。
【請求項８】
請求項１から７の何れかに記載のストリンガーロープホルダと、
一端部が前記２個の第１貫通孔に挿通されかつ結束されることにより、当該一端部が前記ストリンガーロープホルダに係止されたストリンガーロープと、
当該ストリンガーロープの他端部に取り付けられたストリンガーと、を備えるストリンガーセット。
【発明の詳細な説明】
【技術分野】
【０００１】
本発明は、釣った魚を水中に活かしておくためのストリンガーのロープを巻き付けて収納するストリンガーロープホルダ、及び、当該ストリンガーロープホルダを有するストリンガーセットに関する。
【背景技術】
【０００２】
従来、ストリンガーロープホルダ（以下、「ホルダ」と適宜略記する）として、図１４に記載のものが知られている。図１４（ａ）に示すように、このホルダ８１は、板状であり、対向する両端部に一組の切れ込み８３、８５が形成され、中央付近に２個の貫通孔８７、８９が形成されている。貫通孔８７、８９は、収納の対象とされるロープ２１の直径と同等ないし幾分大きい直径を有している。２個の貫通孔８７、８９にロープ２１の一端部が通され、結束部材２３により結束されることにより、ロープ２１の一端部がホルダ８１に係止される。一組の切れ込み８３、８５は、ロープ２１を巻き付け、しかも広がらないよう収束させる役割を果たす。
【０００３】
しかし、従来のホルダ８１を用いたのでは、釣った魚をストリンガー２５（図１４（ｂ））により捕捉し、係留しつつ水中に活かしておくために、ロープを岸壁の杭などの工作物に係止するのが、容易ではない、という問題点があった。また、ストリンガー２５を使用しないときに、ホルダ８１に巻き付けたロープ２１が解けないようにするには、図１４（ｂ）に示すように、例えば伸縮性のバンド９１などにより、ホルダ８１とロープ２１とを胴巻きにして縛ったり、ロープ２１の先端部（ストリンガー２５が取り付けられている側の端部）によって縛ったりしていたため、コンパクトに収納することが困難である、という問題点があった。
【０００４】
なお、特許文献１に開示されるストリンガーロープホルダは、海岸等の堤防の継ぎ目のスリット内に固定することにより、ストリンガーを係留しようとするものであり、ストリンガーロープを杭などの工作物に容易に係止することを目的としたものではなく、その機能も果たし得ないものであった。
【先行技術文献】
【特許文献】
【０００５】
【特許文献１】実開平７−３６６６９号公報
【発明の概要】
【発明が解決しようとする課題】
【０００６】
本発明は上記の問題点に鑑みてなされたもので、ストリンガーを水中に係留するために、ストリンガーロープを岸壁の工作物等に容易に係止することを可能にするストリンガーロープホルダを提供することを目的とする。また、ストリンガーを使用しないときに、ストリンガーロープを、コンパクトに巻装することのできるストリンガーロープホルダを提供することをも目的とする。また、かかるストリンガーロープホルダを有するストリンガーセットを提供することをも目的とする。
【課題を解決するための手段】
【０００７】
上記課題を解決し上記目的を達成するために、本発明のうち第１の態様によるものは、板状のストリンガーロープホルダであって、対向する両端部に形成され、ストリンガーロープを巻き付けかつ収束させるための一組の切れ込みと、２個の第１貫通孔と、前記第１貫通孔よりも大きい２個の第２貫通孔と、を含んでいる。
【０００８】
この構成によれば、ストリンガーロープの一端部を、２個の第１貫通孔に挿通し、結束することにより、当該ストリンガーロープの一端部をストリンガーロープホルダに係止することができる。また、ストリンガーロープホルダに一端部が係止されたストリンガーロープを、２個の第２貫通孔を用いることにより、岸辺の工作物等に簡単に係止することが可能となる。なお、「２個の第１貫通孔を含む」とは、３個以上の第１貫通孔を含む態様をも包含する趣旨である。第２貫通孔についても同様である。
【０００９】
本発明のうち第２の態様によるものは、第１の態様によるストリンガーロープホルダであって、前記２個の第２貫通孔は、前記両端部の前記切れ込みに前記ストリンガーロープを巻き付けたときに、巻き付けられた当該ストリンガーロープから少なくとも一部が露出する部位に形成されている。
【００１０】
この構成によれば、２個の第２貫通孔を、巻き付けたストリンガーロープの緩み防止としても使用することができ、それによりストリンガーロープをストリンガーロープホルダにコンパクトに巻装することが可能となる。
【００１１】
本発明のうち第３の態様によるものは、第１又は第２の態様によるストリンガーロープホルダであって、前記２個の第１貫通孔は、前記両端部の前記切れ込みに前記ストリンガーロープを巻き付けたときに、巻き付けられた当該ストリンガーロープに、全体が隠れる部位に形成されている。
この構成によれば、ストリンガーロープが巻き付けられたときに、第１貫通孔に係止されたストリンガーロープの一端部が隠れて見えないので、見栄えがよい。
【００１２】
本発明のうち第４の態様によるものは、第１から第３のいずれかの態様によるストリンガーロープホルダであって、前記２個の第１貫通孔は、巻装対象としてのストリンガーロープの一端部を挿通し、結束することにより、当該ストリンガーロープの当該一端部を前記ストリンガーロープホルダに係止するためのものであり、前記２個の第２貫通孔は、前記巻装対象としてのストリンガーロープの中途を折り返したものを２度通過させることのできる大きさである。
【００１３】
この構成によれば、巻装対象としてのストリンガーロープの一端部を、２個の第１貫通孔に挿通し、結束することにより、当該ストリンガーロープの一端部をストリンガーロープホルダに係止することができる。また、ストリンガーロープホルダに一端部が係止された、巻装対象としてのストリンガーロープを、２個の第２貫通孔を用いることにより、岸辺の工作物等に簡単に係止することが可能となる。
【００１４】
本発明のうち第５の態様によるものは、第４の態様によるストリンガーロープホルダであって、前記２個の第１貫通孔は、前記巻装対象としてのストリンガーロープの直径の１倍から１．２５倍の範囲の直径を有し、前記２個の第２貫通孔は、前記巻装対象としてのストリンガーロープの直径の３倍から５倍の範囲の直径を有している。
この構成によれば、第１及び第２貫通孔を目的通りに使用するのに特に適する。
【００１５】
本発明のうち第６の態様によるものは、第１から第５のいずれかの態様によるストリンガーロープホルダであって、前記２個の第１貫通孔は５ミリメートル以下の直径を有し、前記２個の第２貫通孔は、６ミリメートル以上かつ２０ミリメートル以下の直径を有している。
この構成によれば、ストリンガーロープとして実用的である、直径が２ミリメートルから４ミリメートルの範囲のロープに対応可能である。
【００１６】
本発明のうち第７の態様によるものは、第１から第６のいずれかの態様によるストリンガーロープホルダであって、前記２個の第２貫通孔の少なくとも１個は、取り外し可能に当該孔の少なくとも一部を塞ぐ閉塞部材を有している。
この構成によれば、例えば、使用者が購入する際に、新品であることを容易に確認することができる。閉塞部材として、例えば、貼着されたシール、ストリンガーロープホルダの本体部に一体に連結したブリッジ付き閉塞部材などが有り得る。
【００１７】
本発明のうち第８の態様によるものは、ストリンガーセットであって、第１から第７のいずれかの態様によるストリンガーロープホルダと、一端部が前記２個の第１貫通孔に挿通されかつ結束されることにより、当該一端部が前記ストリンガーロープホルダに係止されたストリンガーロープと、当該ストリンガーロープの他端部に取り付けられたストリンガーと、を備えている。
【００１８】
この構成によれば、使用者は、ストリンガーロープホルダに、ストリンガーの付いたストリンガーロープを、自身で取り付ける手間を要することなく、そのまま魚釣りに携行し、使用することが可能となる。
【発明の効果】
【００１９】
以上のように本発明によれば、ストリンガーを水中に係留するために、ストリンガーロープを岸壁の工作物等に容易に係止することを可能にするストリンガーロープホルダが実現する。また、ストリンガーを使用しないときに、ストリンガーロープを、コンパクトに巻装することのできるストリンガーロープホルダが実現する。さらに、かかるストリンガーロープホルダを有するストリンガーセットが得られる。
【図面の簡単な説明】
【００２０】
【図１】本発明の一実施の形態によるストリンガーロープホルダの斜視図である。
【図２】図１のストリンガーロープホルダの使用方法を説明する工程図である。
【図３】図１のストリンガーロープホルダの使用方法を説明する工程図である。
【図４】図１のストリンガーロープホルダの使用方法を説明する工程図である。
【図５】図１のストリンガーロープホルダの使用方法を説明する工程図である。
【図６】図１のストリンガーロープホルダの使用方法を説明する工程図である。
【図７】図１のストリンガーロープホルダの使用方法を説明する工程図である。
【図８】図１のストリンガーロープホルダの使用方法を説明する工程図である。
【図９】図１のストリンガーロープホルダの使用方法を説明する工程図である。
【図１０】図１のストリンガーロープホルダの使用方法を説明する工程図である。
【図１１】図１のストリンガーロープホルダの使用方法を説明する工程図である。
【図１２】本発明の別の実施の形態によるストリンガーロープホルダの斜視図である。
【図１３】本発明の別の実施の形態によるストリンガーロープホルダの図であり、（ａ）は全体斜視図、（ｂ）は拡大部分平面図である。
【図１４】従来の技術によるストリンガーロープホルダの斜視図である。
【発明を実施するための形態】
【００２１】
図１は、本発明の一実施の形態によるストリンガーロープホルダの斜視図である。図１（ａ）に示すように、このストリンガーロープホルダ１は、板状であり、かつ片手に持つのに便宜な大きさである。対向する両端部には、一組の切れ込み３、５が形成されている。ホルダ１の材質は、例えば、金属あるいはプラスチックである。切れ込み３，５を横断するホルダ１の中心線（図において水平な中心線であり、図示を略する）に沿って、例えば３個の貫通孔７、９、１１が形成されている。３個の貫通孔７，９，１１のうち、貫通孔９は、ホルダ１の中心に位置し、貫通孔７、１１は、貫通孔９から等距離に位置する。また、水平な中心線に直交しホルダ１の主面に沿った垂直な中心線（図示略）上において、中心から等距離に、別の２個の貫通孔１３、１５が形成されている。貫通孔１３、１５は、貫通孔７，９，１１よりも大きい直径を有する。このように、ホルダ１は、水平、垂直の両中心線に対して、対称形となるように形成されている。
【００２２】
３個の貫通孔７、９、１１のうち、片側の２個、図１（ａ）の例では貫通孔７、９に、ストリンガーロープ（以下において、適宜「ロープ」と記載する）２１の一端部が通され、結束部材２３により結束されることにより、ロープ２１の一端部がホルダ１に係止される。従来のホルダ８１とは異なり、ロープ２１の一端部が、中心から外れた部位に係止されることにより、ロープ２１の巻回を妨げないように、結束部２３をホルダ１の主面に沿わせることが容易となる。ロープ２１を係止する目的のために、貫通孔７、９、１１は、収納の対象とされるロープ２１の直径と同等ないし幾分大きい直径を有している。望ましくは、貫通孔７、９、１１の直径は、ロープ２１の直径の１〜１．２５倍である。
【００２３】
図１（ｂ）に示すように、一組の切れ込み３、５は、ロープ２１を巻き付け、しかも広がらないよう収束させる役割を果たす。２個の貫通孔１３、１５は、ロープ２１の先端部（ストリンガー２５が取り付けられている側の端部）の付近を折り返して、挿通させることにより、巻き付けたロープ２１の緩み防止として使用することが可能である。この目的のために、貫通孔１３、１５は、巻装されたロープ２１から少なくとも一部が露出する部位に形成されている。貫通孔１３，１５は、また、ストリンガー２５を水中に係留するために、ロープ２１を岸壁の工作物等に容易に係止することをも可能にする。これらの目的のために、貫通孔１３，１５は、巻装の対象とされるロープ２１の中途を折り返したものを、２度通過させることのできる大きさに形成され、望ましくは、ロープ２１の直径の３倍から５倍の範囲の直径を有する。貫通孔１３，１５の用途の詳細については、以下において、図２〜図１１を参照しつつ説明する。なお、図１及びその他の図において、ストリンガー２５は、簡略化して描いている。
【００２４】
図２〜図３は、ホルダ１の貫通孔１３，１５を、巻装されたロープ２１の緩み防止として用いる一方法を示す使用工程図である。この使用法では、まず図２（ａ）に示すように、ホルダ１に巻装されたロープ２１の先端部に近い部位２７を折り返す。次に、図２（ｂ）に示すように、部位２７を貫通孔１３，１５の一方、例えば貫通孔１３に挿通させる。次に、図３（ａ）に示すように、部位２７を含み輪状に形成された部分の内側へ、ストリンガー２５が取り付けられた先端部を通過させる。さらに、図３（ｂ）に示すように、ストリンガー２５が取り付けられた先端部を引っ張ることにより、部位２７を含む輪状の部分を絞る。以上の簡単な操作により、巻装されたロープ２１の緩み止めが実現する。
【００２５】
図４〜図５は、ホルダ１の貫通孔１３，１５を、巻装されたロープ２１の緩み防止として用いる、別の一方法を示す使用工程図である。この使用法では、まず図４（ａ）に示すように、ホルダ１に巻装されたロープ２１の先端部に近い部位２７を折り返す。次に、図４（ｂ）に示すように、部位２７を例えば貫通孔１３に挿通させる。次に図５（ａ）に示すように、部位２７を含み輪状に形成された部分を拡げるともに、その内側へ、ストリンガー２５が取り付けられた先端部を通過させる。さらに、図５（ｂ）に示すように、拡げられた輪状の部分を切れ込み３，５に納め、さらに、ストリンガー２５が取り付けられた先端部を引っ張ることにより、輪状の部分を絞る。以上の簡単な操作により、巻装されたロープ２１の緩み止めが実現する。
【００２６】
図６〜図７は、ストリンガー２５を水中に係留するために繰り出したロープ２１の根元（ねもと）側端部（ホルダ１に係止されている側の端部）の付近を、岸壁の工作物等に容易に係止するのに、ホルダ１の貫通孔１３，１５を使用する一方法を示す使用工程図である。この使用法では、まず図６（ａ）に示すように、ロープ２１の根元側端部に近い部位３１を折り返し、貫通孔１３，１５の一方、例えば貫通孔１５に挿通させる。次に、図６（ｂ）に示すように、貫通孔１３，１５の他方、例えば貫通孔１３に、部位３１をさらに挿通させる。次に、図７に示すように、貫通孔１３を通過した、部位３１を含む輪状の部分を、岸壁の杭４１等に掛ける。さらに、ロープ２１を、ストリンガー２５の方向（矢印の方向）に引っ張ることにより、杭３１に掛けられた輪状の部分を絞ることができる。以上の簡単な操作により、ロープ２１を杭４１に容易に係止することができる。
【００２７】
図８〜図１１は、繰り出したロープ２１の根元側端部の付近を、岸壁の工作物等に容易に係止するのに、ホルダ１の貫通孔１３，１５を使用する、別の一方法を示す使用工程図である。この使用法では、まず図８（ａ）に示すように、ロープ２１の根元側端部に近い部位３１を折り返し、貫通孔１３，１５の一方、例えば貫通孔１５に挿通させる。次に、図８（ｂ）に示すように、部位３１にて折り返された部分を、切れ込み３，５の一方、例えば切れ込み３へ巻回し、さらに、貫通孔１５に挿通させる。すなわち、部位３１にて折り返された部分が、貫通孔１５を２度通過する。次に、図９に示すように、貫通孔１５を通過した、部位３１にて折り返された部分を、岸壁の手摺り４３等に掛け、貫通孔１３，１５の他方、例えば貫通孔１３に、部位３１をさらに挿通させる。次に、図１０に示すように、貫通孔１３を通過した、部位３１にて折り返された部分を、輪のように拡げてホルダ１の反対側へ掛け回す。さらに、図１１に示すように、ロープ２１を、ストリンガー２５の方向（矢印の方向）に引っ張ることにより、手摺り４３に掛けられた輪状の部分を絞ることができ、ホルダ１の反対側へ掛け回された部分も、同時に絞ることができる。以上の簡単な操作により、ロープ２１を手摺り４３に容易に係止することができる。
【００２８】
図１２は、本発明の別の実施の形態によるストリンガーロープホルダの斜視図である。図１２（ａ）に示すホルダ５１は、ロープ２１を係止するための貫通孔７，９，１１に代えて、従来技術における貫通孔８７，８９と同様に、２個の貫通孔５３，５５が形成されている点において、ホルダ１とは異なっている。この形態においても、ロープ２１の根元側端部を２個の貫通孔５３，５５に挿通させ、結束することにより、ホルダ５１に係止することが可能である。図１２（ｂ）に示すホルダ６１は、ロープ２１を係止するための貫通孔７，９，１１に代えて、４個の貫通孔６３、６５、６７、６９が形成されている点において、ホルダ１とは異なっている。この形態においても、ロープ２１の根元側端部を、例えば２個の貫通孔６３，６７に挿通させ、結束することにより、ホルダ６１に係止することが可能である。ロープ２１を挿通させる２個の貫通孔として、中心から切れ込み３，５の一方側に偏った部位に形成された貫通孔を使用することができるので、ロープ２１の巻回を妨げないように、結束部２３（図１参照）をホルダ６１の主面に沿わせることが容易となる。
【００２９】
図１３は、本発明の別の実施の形態によるストリンガーロープホルダの図であり、（ａ）は全体斜視図、（ｂ）は拡大部分平面図である。このホルダ７１は、貫通孔１３，１５に代えて、貫通孔７３，７５が形成されている点において、ホルダ１とは異なっている。貫通孔７３、７５は、通孔１３，１５と同様の貫通孔に、閉塞部材７９が設けられているものである。閉塞部材７９は、図１３の例では、幅の狭い架橋部７７を通じてホルダ７１の本体部に連結している。架橋部７７，閉塞部材７９共に、ホルダ７１の本体部と同一の材料にて、ホルダ７１の本体部と一体に形成されている。ホルダ７１の使用者（ユーザ）は、ホルダ７１を購入した後に、指あるいはねじ回しの先等により、閉塞部材７９を押圧することにより、閉塞部材７９を容易に除去することができ、ホルダ７１を使用に供することができる。購入時に閉塞部材７９が付されていることから、使用者は、購入するホルダ７１が新品であることを容易に確認することができる。閉塞部材７９に代えて、粘着剤が一方主面に塗布され、容易に引き剥がし可能なシールを閉塞部材として、貫通孔７３、７５を覆うように、貫通孔７３、７５の周縁に貼着してもよい。また、閉塞部材は、貫通孔７３、７５の一部のみ、また、一方のみを閉塞するものであってもよい。
【００３０】
以上の実施の形態では、ロープ２１を岸辺の工作物等に係止するために使用する貫通孔１３，１５は、２個形成されている例を示した。貫通孔１３，１５は、一般に、２個以上であって良い。使用者は、そのうちの２個を適宜選択して使用することができる。
【００３１】
上記の通り、貫通孔７，９，１１（５３，５５，６３，６５，６７，６９も同様）は巻装の対象とされるロープ２１の直径の１〜１．２５倍の範囲の直径を有することが望ましい。また、貫通孔１３，１５（７３、７５も同様）は、巻装対象とされるロープ２１の直径の３〜５倍の範囲の直径を有することが望ましい。ホルダ１、５１、６１、７１が、例えば、直径２ミリメートルのロープ２１用の製品であれば、貫通孔７，９，１１は、２〜２．５ミリメートルの範囲、貫通孔１３，１５は、６〜１０ミリメートルの範囲であることが望ましい。また、直径４ミリメートルのロープ２１用の製品であれば、貫通孔７，９，１１は、４〜５ミリメートルの範囲、貫通孔１３，１５は、１２〜２０ミリメートルの範囲であることが望ましい。ストリンガー用のロープ２１の直径の実用的な範囲は、２〜４ミリメートルの範囲であることから、貫通孔７，９，１１は、５ミリメートル以下の範囲、貫通孔１３，１５は、６〜２０ミリメートルの範囲が望ましい範囲となる。
【００３２】
以上の実施の形態では、貫通孔７，９，１１あるいは貫通孔１３，１５などは、一定の直径を有する円形の孔である例を示した。これに対し、円形とは異なる形状にこれらの孔を形成してもよい。
【００３３】
ホルダ７１と、これに根元側端部が係止されたストリンガーロープ２１と、当該ロープ２１の先端部に取り付けられたストリンガーとを有するストリンガーセットの形態をなす製品は、購入者が直ちに使用に供することが可能であり、便宜である。
【符号の説明】
【００３４】
１，５１，６１，７１  ストリンガーロープホルダ
３，５  切れ込み
７，９，１１，５３，５５，６３，６５，６７，６９  貫通孔（第１貫通孔）
１３，１５，７３，７５  貫通孔（第２貫通孔）
２１  ストリンガーロープ
２３  結束部材
２５  ストリンガー
４１  杭（工作物）
４３  手摺り（工作物）
【図１】
2016086784.tif 000003
【図２】
2016086784.tif 000004
【図３】
2016086784.tif 000005
【図４】
2016086784.tif 000006
【図５】
2016086784.tif 000007
【図６】
2016086784.tif 000008
【図７】
2016086784.tif 000009
【図８】
2016086784.tif 000010
【図９】
2016086784.tif 000011
【図１０】
2016086784.tif 000012
【図１１】
2016086784.tif 000013
【図１２】
2016086784.tif 000014
【図１３】
2016086784.tif 000015
【図１４】
2016086784.tif 000016